(57)【要約】【課題】絶縁性能に優れた開閉装置を提供する。【解決手段】絶縁ガスを封入した接地金属容器（１）内に設けられた第１および第２の電極（２１、２２）と、第１および第２の電極（２１、２２）を断路する断路器部（１０１）とを備え、断路器部（１０１）は、第１および第２の固定接触子（２１a、２２a）と、第１の固定接触子（２１a）に常時接触しつつ軸方向に摺動して第２の固定接触子（２２a）に対して離接し、これら第１および第２の固定接触子間を開閉する橋絡型の可動接触子（２５）と、可動接触子（２５）を開閉駆動する操作機構（不図示）とを備え、操作機構は、可動接触子（２５）の摺動方向にフランジ（３）を貫通して延びた絶縁操作ロッド（４０）を備えた開閉装置であって、絶縁操作ロッド（４０）の長手方向の途中に電極が配置されていることを特徴とする。【選択図】図１
2016163499.tif 000002
【特許請求の範囲】
【請求項１】
軸方向両端に開口を持つ円筒部材で構成され、絶縁ガスを封入した金属容器と、前記金属容器内に設けられた第１および第２の電極と、前記第１および第２の電極を断路する断路器とを備え、
前記断路器は、前記第１および第２の電極にそれぞれ設けられ、第１および第２の固定接触子と、前記第１の固定接触子に対して常時接触しつつ軸方向に摺動して前記第２の固定接触子に対して離接し、前記第１および第２の固定接触子間を開閉する橋絡型の可動接触子と、前記可動接触子を開閉駆動する操作機構とを備え、
前記操作機構は、前記可動接触子の摺動方向に前記第１の固定接触子を貫通して延びた絶縁操作ロッドを備えたものであり、前記可動接触子を、前記断路器が閉位置にある第１の位置又は前記断路器が開位置にある第２の位置に選択的に可動する開閉装置において、
前記絶縁操作ロッドは前記金属容器の前記開口に配されるフランジを貫通し、前記絶縁操作ロッドの長手方向の途中に電極が配置されていることを特徴とする、開閉装置。
【請求項２】
軸方向両端に開口を持つ円筒部材で構成され、絶縁ガスを封入した金属容器と、前記金属容器内に設けられた第１および第２の電極と、前記第１および第２の電極を断路する断路器部と、前記断路器部が開位置にあるとき前記第１の電極を接地させる接地開閉器部とを備え、
前記断路器部は、前記第１および第２の電極にそれぞれ設けられた第１および第２の固定接触子と、前記第１の固定接触子に対して常時接触しつつ軸方向に摺動して前記第２の固定接触子に対して離接し、前記第１および第２の固定接触子間を開閉する橋絡型の可動接触子と、前記可動接触子を開閉駆動する操作機構とを備え、
前記接地開閉器部は、前記第１の固定接触子と、前記可動接触子と、前記金属容器内に設けられ、前記可動接触子が前記第２の固定接触子から開離したときに前記可動接触子によって接触される接地用の第３の固定接触子とを備え、
前記操作機構は、前記可動接触子の摺動方向に前記第１の固定接触子を貫通して延びた絶縁操作ロッドを備えたものであり、前記可動接触子を、前記断路器部が閉位置にあり、かつ前記接地開閉器部が開位置にある第１の位置、前記断路器部および前記接地開閉器部が共に開位置にある第２の位置、および前記断路器部が開位置にあり、かつ前記接地開閉器部が閉位置にある第３の位置のうち一つの位置に選択的に可動する接地断路器を備えた開閉装置において、
前記絶縁操作ロッドは前記第３の固定接触子を貫通し、前記絶縁操作ロッドの長手方向の途中に電極が配置されていることを特徴とする、開閉装置。
【請求項３】
請求項１に記載の開閉装置において、
前記可動接触子を前記第２の位置にした時に、前記絶縁操作ロッドの長手方向の途中に設けられた電極が接地電位となることを特徴とする、開閉装置。
【請求項４】
請求項２に記載の開閉装置において、
前記可動接触子を前記第２の位置にした時に、前記絶縁操作ロッドの長手方向の途中に設けられた電極が、前記第３の固定接触子に接触することを特徴とする、開閉装置。
【請求項５】
請求項１に記載の開閉装置において、
前記可動接触子は、前記第１の電極に対してほぼ直角な軸心を持つ部材であり、
前記第１の固定接触子は前記可動接触子の周面を囲むように環状に配置されており、
前記絶縁操作ロッドの軸心は前記可動接触子の前記軸心と同軸上にあり、
前記絶縁操作ロッドの長手方向の途中に設けられた電極も前記軸心と同軸上にあることを特徴とする、開閉装置。
【請求項６】
請求項２に記載の開閉装置において、
前記可動接触子は、前記第１の電極に対してほぼ直角な軸心を持つ部材であり、
前記第１の固定接触子は前記可動接触子の周面を囲むように環状に配置されており、
前記絶縁操作ロッドの軸心は前記可動接触子の前記軸心と同軸上にあり、
前記絶縁操作ロッドの長手方向の途中に設けられた電極も前記軸心と同軸上にあることを特徴とする、開閉装置。
【発明の詳細な説明】
【技術分野】
【０００１】
本発明は、電力用の開閉装置に関し、特に、主回路の大電流を開閉する遮断器の開状態において高電圧の電極を開閉する断路器を備えた電力用開閉装置に関する。
【背景技術】
【０００２】
電力系統を構成する変電所等においては、電力系統の保護・制御を目的として、遮断器、断路器などの開閉器類を複数組み合わせた電力用開閉装置が配備される。
【０００３】
図１２に、複数の開閉器類から構成される電力用ガス絶縁開閉装置の一例を示す。ガス絶縁開閉装置は、ＳＦ６（六フッ化硫黄）や乾燥空気等の絶縁性ガスが封入されたタンク内に遮断器５００、接地断路器１００、断路器１５０Ａ、１５０Ｂ、接地開閉器３００、３５０、計器用変流器６００、６５０、計器用変圧器７００等の各種の機器が収納されている。このガス絶縁開閉装置は、１回路分の１相分の断面であり、１回路について図１２の装置が３相分配置され、それが回路数分配設される。
【０００４】
上記開閉器類のうち、断路器および接地断路器の技術分野の背景技術として、特開２００４−９６８０６号公報（特許文献１）がある。この公報には、接地断路器において「断路器および接地開閉器の固定接触子を整列させてフランジ上に絶縁支持し、可動接触子を共通の橋絡形のものとして、フランジと一方の固定接触子とを貫通した絶縁操作ロッドで開閉駆動させる。可動接触子は、第１の電極に対してほぼ直角な軸心を持つ長い部材であり、第１の固定接触子は可動接触子の周面を囲むように環状に配置されており、絶縁操作ロッドの軸心は可動接触子の軸心とほぼ整列している。」と記載されている。
【先行技術文献】
【特許文献】
【０００５】
【特許文献１】特開２００４−９６８０６号公報
【発明の概要】
【発明が解決しようとする課題】
【０００６】
上記従来の技術では、遮断器を開状態にして次いで断路器を開いた後に、遮断器と断路器の間の高電圧電極に直流電圧が残留する場合があり、この場合に、フランジと一方の固定接触子とを貫通した絶縁操作ロッドが前記固定接触子近傍で帯電して絶縁耐力が低下することがある。
【０００７】
帯電は、絶縁操作ロッドと前記固定接触子との距離が短いと強くなる傾向にあるので、ガス絶縁開閉装置の縮小化を進め、各所の寸法が短くなっていると、帯電により絶縁耐力が低下する可能性が大きくなる。帯電は時間が経過すると減衰して絶縁耐力が回復するが、その時定数は数十分以上と比較的長い。このように時定数が長いのは、ガス絶縁開閉装置の絶縁性能が本来優れていて、空気中よりも導電率が非常に小さいためである。そして、たまたま絶縁耐力が回復する前に落雷などで生じたサージ電圧が高いレベルのまま伝播してくると絶縁破壊してしまう場合がある。
【課題を解決するための手段】
【０００８】
上記課題を解決するために、本発明の開閉装置は、軸方向両端に開口を持つ円筒部材で構成され、絶縁ガスを封入した金属容器と、前記金属容器内に設けられた第１および第２の電極と、前記第１および第２の電極を断路する断路器とを備え、前記断路器は、前記第１および第２の電極にそれぞれ設けられ、第１および第２の固定接触子と、前記第１の固定接触子に対して常時接触しつつ軸方向に摺動して前記第２の固定接触子に対して離接し、前記第１および第２の固定接触子間を開閉する橋絡型の可動接触子と、前記可動接触子を開閉駆動する操作機構とを備え、前記操作機構は、前記可動接触子の摺動方向に前記第１の固定接触子を貫通して延びた絶縁操作ロッドを備えたものであり、前記可動接触子を、前記断路器が閉位置にある第１の位置又は前記断路器が開位置にある第２の位置に選択的に可動する開閉装置において、前記絶縁操作ロッドは前記金属容器の前記開口に配されるフランジを貫通し、前記絶縁操作ロッドの長手方向の途中に電極が配置されていることを特徴とする。
【発明の効果】
【０００９】
上述したように、前記絶縁操作ロッドの長手方向の途中に配置された電極が接地電位となることにより、前記第１の電極に直流電圧が残留したときに前記絶縁操作ロッドと前記接地金属容器との間に生じる電位差がなくなって帯電しなくなる。従って帯電の影響による絶縁耐力の低下もなくなり、例え直流電圧が残留していたときに、落雷等で生じたサージ電圧が伝播してきても絶縁破壊することがなくなる。
【図面の簡単な説明】
【００１０】
【図１】本発明の実施の形態１に係る断路器の断面図であり、断路器部が開の状態である。
【図２】図１の断路器において、断路器部が閉の状態である。
【図３】本発明の実施の形態１において、絶縁操作ロッドの断路時接地用電極４１がないものと仮定した場合の電界の状況を説明する図である。
【図４】本発明の実施の形態１において、絶縁操作ロッドの断路時接地用電極４１がフランジ３に接触していない場合の一時的な電界の状況を説明する図である。
【図５】図１の断路器において、絶縁操作ロッドに配置する断路時接地用電極の構成例である。
【図６】図５の断路時接地用電極のＡ−Ａ断面図である。
【図７】本発明の実施の形態２に係る接地断路器の断面図であり、断路器部と接地開閉器部が共に開の状態である。
【図８】図７の接地断路器において、断路器部が閉で、接地開閉器部が開の状態である。
【図９】図７の接地断路器において、断路器部が開で、接地開閉器部が閉の状態である。
【図１０】本発明の実施の形態２において、絶縁操作ロッドの断路時接地用電極４１がないと仮定した場合の電界の状況を説明する図である。
【図１１】本発明の実施の形態３に係る接地断路器の断面図であり、可動接触子と絶縁操作ロッドの軸心をほぼ一致させた例である。
【図１２】本発明が適用されたガス絶縁開閉装置の一例の全体構成図である。
【発明を実施するための形態】
【００１１】
以下、本発明の電力用開閉装置の実施の形態として、ガス絶縁開閉装置への適用例を取り上げ、図面を用いて説明する。下記はあくまでも実施の例であって、発明の内容を下記具体的態様に限定することを意図する趣旨ではない。発明自体は、特許請求の範囲の記載を満たす範囲内で種々の態様に変形することが可能である。
【実施例１】
【００１２】
図１には、本発明の実施の形態１におけるガス絶縁開閉装置に設けられた断路器の構造を示す。ガス絶縁開閉装置は、絶縁ガスを封入し接地されたタンク１と、このタンク１内に設けられた第１および第２の電極２１および２２と、第１および第２の電極２１および２２を断路する断路器部１０１とを備えている。図１は、前記断路器部が開の位置にある状態を示す。
【００１３】
タンク１は、３つの開口１ａ、１ｂおよび１ｃが設けられた接地容器（金属容器）であり、第１の電極２１は開口１ａに取付けられた絶縁スペーサ３０ａを介して他の機器に接続されている。また、第２の電極２２は第２の開口１ｂに取付けられた絶縁スペーサ３０ｂを介して別の機器に接続されている。
【００１４】
タンク１の第３の開口１ｃの周縁には、ほぼ環状の取付フランジ部２ｃがあり、取付フランジ部２ｃには円板状のフランジ３がボルト等により取付けられて開口１ｃが気密に閉塞されている。フランジ３の外面には、図示していない操作機構が取付けられている。
【００１５】
第１の電極２１には、リングばねにより内側に偏倚された多数のフィンガー状接触片で構成された接触子２１ａが設けられている。また、第１の電極２１の両端とほぼ中央には、可動接触子２５の軸心をほぼ固定するためのガイド２６ａ、２６ｂ、２６ｃが配置されている。
【００１６】
第２の電極２２は、絶縁スペーサ３０ｂで支持されており、リングばねと多数のフィンガー状接触片で構成された接触子２２ａが設けられている。
【００１７】
そして、図示しない操作機構にリンクなどで繋がった絶縁操作ロッド４０がフランジ３の中央の開口３ａを通って可動接触子２５に機械的に繋がっている。絶縁操作ロッド４０の途中には、絶縁操作ロッドの断路時接地用電極４１が配備されている。
【００１８】
図５は、図１の断路器において、絶縁操作ロッド４０に配備される断路時接地用電極４１の構成例であり、図６は、図５の断路時接地用電極のＡ−Ａ断面図である。絶縁操作ロッド４０のほぼ中央に設けた円周の溝４０aに、図５、図６に示すように半割りリング電極４１a、４１ｂをはめ込んでおき、両側からリング電極４１ｃ、４１ｄで挟んだ上で、リング電極４１ｃ、４１ｄをネジ止めする。リング電極４１ｃ、４１ｄは、フランジ３の開口３aに容易に挿入されるよう、外側の角部を丸めている。また、リング電極４１ｃ、４１ｄは、絶縁ロッド４０と接触部近傍の電界集中を緩和するために、内側の角部を丸めている。さらに、半割りリング電極４１a、４１ｂは、その内径を溝４０aの外径より小さくしており、これにより円周方向に可動となり、絶縁操作ロッド４０が多少偏心していても開口３aに容易に挿入される。開口３aは図６に示すような楕円とし、断路器操作時にぶれる方向を長軸方向とすることにより、操作器の動作への支障を避けることができる。
【００１９】
このように、本発明によるガス絶縁開閉装置は、絶縁ガスを封入したタンク１と、このタンク１内に設けられた第１の電極２１および第２の電極２２と、第１および第２の電極２１および２２を投入・断路する断路器１０１とを備えている。
【００２０】
断路器部１０１は、第１および第２の導体２１および２２にそれぞれ設けられた第１の固定の接触子２１ａと、第１の電極２１に対して常時接触しつつ摺動して第２の電極２２に対して離接し、これら第１および第２の電極２１および２２間を開閉する橋絡型の可動接触子２５と、可動接触子２５を開閉駆動する操作機構とを備えている。
【００２１】
また、操作機構に繋がる絶縁操作ロッド４０は、可動接触子２５の摺動方向に第１の電極２１を貫通して延びている。
【００２２】
図２は、図１と合わせて、図１の断路器の開閉動作を示している。図２は、断路器部投入状態であり、可動接触子２５が接触子２１ａと２２ａの間を接続している。
【００２３】
この状態から、外部駆動力により操作機構および絶縁操作ロッド４０を介して可動接触子２５が直線移動して図１の状態に達する。この状態では、第１の電極２１の中に可動接触子２５がほぼ収納され、断路器部１０１が開放状態となる。
【００２４】
ここで、図１の状態では、第１の電極が他の回路から切り離されているため、電気的切り離し時の電圧位相により決まる電圧が直流電圧として残留した場合に、それが減衰するまでの間、直流電圧が印加される状況になる。このときの電界分布は、図１の電荷分布の線１２５aのようになる。
【００２５】
本実施例では、断路時接地用電極４１が接地されているので電界分布がなだらかとなっている。このため、フランジ３の開口３aを貫通する絶縁操作ロッド４０が帯電するおそれを低減し、絶縁耐力の低下を防ぐことが可能となる。
【００２６】
他方、図３のように、絶縁操作ロッドの断路時接地用電極４１がない場合には、残留直流電圧により形成される電界が接地側に深く入り込むため、フランジ３の開口３aの高電圧側に対向した先端部分で電界が高くなり、絶縁操作ロッド４０がこの近傍で帯電しやすくなる。その結果、絶縁操作ロッド４０は帯電が減衰していない状態で絶縁耐力が低下している場合があり、このときに雷などに起因するサージ電圧が侵入すると絶縁破壊する可能性がある。この状況は、図７のように、絶縁操作ロッドの断路時接地用電極４１を配置し接地電位とすることで回避できる。
【００２７】
ところで、断路器部が開の状態のときに断路時接地用電極４１が接地されたフランジ３などに接触していれば、上述した絶縁耐力の低下を確実に防止できるが、図４のように接触していなくても、断路時接地用電極４１とフランジ３aとの距離が充分短いので、絶縁耐力の低下を防止できる。以下、その理由を説明する。
【００２８】
断路器部が開の状態になって直流電圧が残留した場合、電界が接地側に深く入り込むものの、初めは帯電が少ない。ここで、フランジ３と断路時接地用電極４１との間１２５ｄで、距離が短いために容易に微小放電が発生し、断路時接地用電極４１はフランジ３と同電位、すなわち接地電位となって電界の入り込みがなくなる。その後、再びゆっくりと電界が接地側に入り込むが、帯電が少ないうちに微小放電が発生して接地電位となるので、絶縁耐力の低下に至ることがない。
【実施例２】
【００２９】
図７には、本発明の実施の形態２におけるガス絶縁開閉装置に設けられた接地断路器の構造を示す。ガス絶縁開閉装置は、絶縁ガスを封入したタンク１と、このタンク１内に設けられた第１および第２の電極２１および２２と、第１および第２の電極２１および２２を断路する断路器部１０１と、断路器部１０１が開位置にあるときに第１の電極２１を接地させる接地開閉器部１２１とを備えている。図７は、前記断路器部および前記接地開閉器部が共に開の位置にある状態を示す。
【００３０】
タンク１は、３つの開口１ａ、１ｂおよび１ｃが設けられた接地容器（金属容器）であり、第１の電極２１は開口１ａに取付けられた絶縁スペーサ３０ａを介して他の機器に接続されている。また、第２の電極２２は第２の開口１ｂに取付けられた絶縁スペーサ３０ｂを介して別の機器に接続されている。
【００３１】
タンク１の第３の開口１ｃの周縁には、ほぼ環状の取付フランジ部２ｃがあり、取付フランジ部２ｃには円板状のフランジ３がボルト等により取付けられて開口１ｃが気密に閉塞されている。フランジ３の外面には、図示しない薄い絶縁物を介して第３の電極２３と共に図示していない操作機構が取付けられている。第３の電極２３は操作機構と共に接地される。
【００３２】
第１の電極２１には、リングばねにより内側に偏倚された多数のフィンガー状接触片で構成された接触子２１ａが設けられている。また、第１の電極２１の両端とほぼ中央には、可動接触子２５の軸心をほぼ固定するためのガイド２６ａ、２６ｂ、２６ｃが配置されている。
【００３３】
第２の電極２２は、絶縁スペーサ３０ｂで支持されており、リングばねと多数のフィンガー状接触片で構成された接触子２２ａが設けられている。
【００３４】
第３の電極２３は、フランジ３の外面側に取付けられ、リングばねと多数のフィンガー状接触片で構成された接触子２３ａを備えており、電極２３は接地されている。そして、図示しない操作機構にリンクなどで繋がった絶縁操作ロッド４０がフランジ３の中央の開口３ａを通って可動接触子２５に機械的に繋がっている。絶縁操作ロッド４０の途中には、絶縁操作ロッドの断路時接地用電極４１が配備されている。
【００３５】
このように、本発明によるガス絶縁開閉装置は、絶縁ガスを封入したタンク１と、このタンク１内に設けられた第１の電極２１および第２の電極２２と、第１および第２の電極２１および２２を投入・断路する断路器１０１と、断路器１０１が開位置にあるとき第１の電極２１を接地させる接地開閉器１２１とを備えている。
【００３６】
断路器部１０１は、第１および第２の導体２１および２２にそれぞれ設けられた第１の固定の接触子２１ａと、第１の電極２１に対して常時接触しつつ摺動して第２の電極２２に対して離接し、これら第１および第２の電極２１および２２間を開閉する橋絡型の可動接触子２５と、可動接触子２５を開閉駆動する操作機構とを備えている。
【００３７】
接地開閉器部１２１は、接触子２１ａを持つ固定の第１の電極２１と、断路器１０１の可動接触子２５と共通の橋絡型の可動接触子２５と、タンク１に支持されて、可動接触子２５が第２の電極２２から開離したときに可動接触子２５によって接触される接地用の第３の固定の電極２３の接触子２３ａとを備えている。
【００３８】
また、操作機構に繋がる絶縁操作ロッド４０は、可動接触子２５の摺動方向に第１の電極２１を貫通して延びている。
【００３９】
図８ないし図９は、図７と合わせて、図７の接地断路器の開閉動作を示している。図８は、断路器部投入および接地開閉器部開放状態であり、可動接触子２５が接触子２１ａと２２ａの間を接続している。
【００４０】
この状態から、外部駆動力により操作機構および絶縁操作ロッド４０を介して可動接触子２５が直線移動して図７の状態に達する。この状態では、第１の電極２１の中に可動接触子２５がほぼ収納され、断路器部１０１および接地開閉器部１２１の両者が開放状態となる。
【００４１】
さらに、可動接触子２５が直線移動していくと、図９のように接触子２１ａと２３ａの間を接続するようになり、断路器部開放状態で接地開閉器部投入状態となる。
【００４２】
このように３ポイント位置を往復運動させることにより、断路器部１０１および接地開閉器部１２１の入切動作を操作することが可能である。また、この構造では、断路器部１０１と接地開閉器部１２１の可動接触子２５が共通化されて単一とされているため、絶縁操作ロッド４０および外部操作機構などの部品点数の削減と、それら削減部品部の収納スペースの縮小、シャフトシールの削減といった効果があり、コスト削減に多いに有効となっている。
【００４３】
ここで、図７の状態では、第１の電極が他の回路から切り離されているため、電気的切り離し時の電圧位相により決まる電圧が直流電圧として残留した場合に、それが減衰するまでの間、直流電圧が印加される状況になる。このときの電界分布は、図７の電荷分布の線１２５aのようになる。
【００４４】
本実施例では、断路時接地用電極４１が接地されているので電界分布がなだらかとなっている。このため、第３の電極２３の間を貫通する絶縁操作ロッド４０が帯電するおそれを低減し、絶縁耐力の低下を防ぐことが可能となる。
【００４５】
他方、図１０のように、絶縁操作ロッドの断路時接地用電極４１がない場合には、残留直流電圧により形成される電界が接地側に深く入り込むため、第３の電極２３の高電圧側に対向した先端部分で電界が高くなり、絶縁操作ロッド４０がこの近傍で帯電しやすくなる。その結果、絶縁操作ロッド４０は帯電が減衰していない状態で絶縁耐力が低下している場合があり、このときに雷などに起因するサージ電圧が侵入すると絶縁破壊する可能性がある。この状況は、図７のように、絶縁操作ロッドの断路時接地用電極４１を配置し接地電位とすることで回避できる。
【実施例３】
【００４６】
図１１には、絶縁操作ロッド４０を可動接触子２５にネジ等で固定し、絶縁操作ロッド４０と可動接触子２５の軸心を合わせた構成を示している。これは、絶縁操作ロッド４０を駆動するレバーの穴を楕円とすることなどにより実現できる。この場合、絶縁操作ロッドの断路時接地用電極４１と第３の接触子２３ａの軸心が一致するため、絶縁操作ロッドの断路時接地用電極４１を第３の接触子２３ａとの接触を確実にすることができる利点がある。
【００４７】
タンク１に封入される絶縁性ガスとしては、ＳＦ6 または他の絶縁性ガス、例えば、Ｎ2、ＣＯ2、ＣＦ4、Ｏ2、乾燥空気等の内で一種または二種以上とＳＦ6とを混合させたガスを用いることができる。
【００４８】
以上述べたことにより、縮小化されたガス絶縁開閉装置において、絶縁信頼性を向上することができる。
【符号の説明】
【００４９】
１      タンク
２ａ、２ｂ、２ｃ  取付フランジ
３      フランジ
３ａ    フランジ開口部
２１    第１の電極
２２    第２の電極
２３    第３の電極
２１ａ、２２ａ、２３ａ  接触子
２５    可動接触子
４０    絶縁操作ロッド
４１    断路時接地用電極
１００  接地断路器
１０１  断路器または接地断路器の断路器部
１２１  接地断路器の接地開閉器部
１５０  断路器
２００、２５０  接地開閉器
３００  母線
５００  遮断器
６００、６５０  計器用変流器
７００  計器用変圧器
８００  ケーブル接続部
【図１】
2016163499.tif 000003
【図２】
2016163499.tif 000004
【図３】
2016163499.tif 000005
【図４】
2016163499.tif 000006
【図５】
2016163499.tif 000007
【図６】
2016163499.tif 000008
【図７】
2016163499.tif 000009
【図８】
2016163499.tif 000010
【図９】
2016163499.tif 000011
【図１０】
2016163499.tif 000012
【図１１】
2016163499.tif 000013
【図１２】
2016163499.tif 000014